(57)【特許請求の範囲】
【請求項１】
被写体の像を撮像する撮像部と、
前記撮像部から得たベイヤ配列構造でＲＡＷ形式の第１画像に、電子的な現像処理を施して第２画像を生成する画像処理部と、
前記第１画像及び前記第２画像に基づき、前記第１画像のＲ成分、Ｇ成分及びＢ成分の色成分毎の階調に関する第１階調情報と、前記第２画像のＲ成分、Ｇ成分及びＢ成分の色成分毎の階調に関する第２階調情報とを生成する階調情報生成部と、
前記階調情報生成部により生成された前記第１階調情報及び前記第２階調情報の少なくとも一方を表示部に表示するよう制御する表示制御部とを備え、
前記階調情報生成部は、前記第１階調情報を生成するときに、Ｇ成分に対応する２つの画素の一方のみの画素値を使用する、又は、該２つの画素の画素値の平均値を使用することにより、Ｒ成分、Ｇ成分及びＢ成分の色成分間で画素数を一致させる撮像装置。
【請求項２】
請求項１に記載の撮像装置において、
前記階調情報生成部は、前記第２階調情報を生成するときに、Ｒ成分、Ｇ成分及びＢ成分の各色成分について画素の間引き又は画素値の平均化を行うことにより、各色成分の画素数を前記第１階調情報と一致させる撮像装置。
【請求項３】
請求項１又は請求項２に記載の撮像装置において、
前記表示制御部は、前記階調情報生成部により生成された前記第１階調情報及び前記第２階調情報を重畳させて表示するよう制御する撮像装置。
【請求項４】
被写体の像を撮像する撮像部と、
前記撮像部から得たベイヤ配列構造でＲＡＷ形式の第１画像に、電子的な現像処理を施して第２画像を生成する画像処理部と、
前記第１画像に基づき、前記第１画像のＲ成分、Ｇ成分及びＢ成分の色成分毎の階調に関する第１階調情報を生成する階調情報生成部と、
前記画像処理部により電子的な現像処理が施された前記第２画像と、前記階調情報生成部により生成された前記第１階調情報とを少なくとも含む第２画像ファイルを生成する画像ファイル生成部とを備え、
前記階調情報生成部は、前記第１階調情報を生成するときに、Ｇ成分に対応する２つの画素の一方のみの画素値を使用する、又は、該２つの画素の画素値の平均値を使用することにより、Ｒ成分、Ｇ成分及びＢ成分の色成分間で画素数を一致させる撮像装置。
【請求項５】
入力されるベイヤ配列構造でＲＡＷ形式の第１画像に画像処理を施して第２画像を生成する画像処理部と、
前記第１画像のＲ成分、Ｇ成分及びＢ成分の色成分毎の階調に関する第１階調情報と、前記第２画像のＲ成分、Ｇ成分及びＢ成分の色成分毎の階調に関する第２階調情報とを生成する階調情報生成部と、
前記階調情報生成部により生成された前記第１階調情報及び前記第２階調情報の少なくとも一方を表示部に表示するよう制御する表示制御部とを備え、
前記階調情報生成部は、前記第１階調情報を生成するときに、Ｇ成分に対応する２つの画素の一方のみの画素値を使用する、又は、該２つの画素の画素値の平均値を使用することにより、Ｒ成分、Ｇ成分及びＢ成分の色成分間で画素数を一致させる画像処理装置。
【発明の詳細な説明】
【技術分野】
【０００１】
本発明は、撮像装置及び画像処理装置に関する。
【背景技術】
【０００２】
従来から、例えば特許文献１に示すように、撮像装置で撮像した画像についてガンマ変換処理の前後でヒストグラムが変化することが知られている。
【先行技術文献】
【特許文献】
【０００３】
【特許文献１】特開２００６−２９５８１４号公報
【発明の概要】
【発明が解決しようとする課題】
【０００４】
ところで、例えば、ＲＡＷ画像に電子的な現像処理を施してＪＰＥＧ形式等の現像画像を得る場合にも、上記と同様にＲＡＷ画像と現像画像との間でヒストグラムの変化が生じうる。そして、ＲＡＷ画像を記録するモードで取得した画像に関し、白トビや黒潰れの有無の確認をユーザが容易に行うための手段が要請されている。
【０００５】
そこで、本発明の目的は、現像画像の確認時であっても現像処理前の画像の階調情報をユーザが容易に確認するための手段を提供することにある。
【課題を解決するための手段】
【０００６】
本発明の一の態様の撮像装置は、被写体の像を撮像する撮像部と、画像処理部と、階調情報生成部と、表示制御部とを備える。画像処理部は、撮像部から得たベイヤ配列構造でＲＡＷ形式の第１画像に、電子的な現像処理を施して第２画像を生成する。階調情報生成部は、第１画像及び第２画像に基づき、第１画像のＲ成分、Ｇ成分及びＢ成分の色成分毎の階調に関する第１階調情報と、第２画像のＲ成分、Ｇ成分及びＢ成分の色成分毎の階調に関する第２階調情報とを生成する。表示制御部は、階調情報生成部により生成された第１階調情報及び第２階調情報の少なくとも一方を表示部に表示するよう制御する。階調情報生成部は、第１階調情報を生成するときに、Ｇ成分に対応する２つの画素の一方のみの画素値を使用する、又は、２つの画素の画素値の平均値を使用することにより、Ｒ成分、Ｇ成分及びＢ成分の色成分間で画素数を一致させる。
【０００７】
上記した一の態様において、階調情報生成部は、第２階調情報を生成するときに、Ｒ成分、Ｇ成分及びＢ成分の各色成分について画素の間引き又は画素値の平均化を行うことにより、各色成分の画素数を第１階調情報と一致させてもよい。
上記した一の態様において、表示制御部は、階調情報生成部により生成された第１階調情報及び第２階調情報を重畳させて表示するよう制御してもよい。
【０００８】
また、上記した一の態様の撮像装置は、画像を記憶部へ記録する記録モードとして、撮像部から得た第１画像および画像処理部により現像処理が施された第２画像を記録する第１記録モードと、第２画像のみを記録する第２記録モードと、を選択する記録モード選択手段を備えていてもよい。そして、記録モード選択手段により第１記録モードが選択された場合、表示制御部は、階調情報生成部により生成された第１画像に関する第１階調情報と、第２画像に関する第２階調情報とを表示するよう制御してもよい。また、記録モード選択手段により第２記録モードが選択された場合、表示制御部は、第２画像に関する第２階調情報のみを表示するよう制御してもよい。
【０００９】
本発明の他の態様の撮像装置は、被写体の像を撮像する撮像部と、画像処理部と、階調情報生成部と、画像ファイル生成部とを備える。画像処理部は、撮像部から得たベイヤ配列構造でＲＡＷ形式の第１画像に、電子的な現像処理を施して第２画像を生成する。階調情報生成部は、第１画像に基づき、第１画像のＲ成分、Ｇ成分及びＢ成分の色成分毎の階調に関する第１階調情報を生成する。画像ファイル生成部は、画像処理部により電子的な現像処理が施された第２画像と、階調情報生成部により生成された第１階調情報とを少なくとも含む第２画像ファイルを生成する。階調情報生成部は、第１階調情報を生成するときに、Ｇ成分に対応する２つの画素の一方のみの画素値を使用する、又は、２つの画素の画素値の平均値を使用することにより、Ｒ成分、Ｇ成分及びＢ成分の色成分間で画素数を一致させる。
【００１０】
上記した他の態様において、画像ファイル生成部は、第２画像ファイルに階調情報生成部により生成された第２画像のＲ成分、Ｇ成分及びＢ成分の色成分毎の階調に関する第２階調情報を付加してもよい。
【００１１】
上記した他の態様において、画像ファイル生成部は、第１画像の第１画像ファイルを生成してもよい。また、上記した他の態様の撮像装置は、画像ファイル生成部により生成された第１画像ファイルおよび第２画像ファイルを対応付けして記憶部に記録する記録制御部をさらに備えていてもよい。
【００１２】
このとき、他の態様の画像ファイル生成部は、少なくとも第１画像を示す第１画像識別情報、第２画像を示す第２画像識別情報および第１階調情報を含む検索用データを生成してもよい。そして、他の態様の記録制御部は、画像ファイル生成部により生成された第１画像ファイルと、第２画像ファイルと、検索用データとを対応付けして記憶部に記録してもよい。
【００１３】
本発明のさらに他の態様の画像処理装置は、入力されるベイヤ配列構造でＲＡＷ形式の第１画像に画像処理を施して第２画像を生成する画像処理部と、階調情報生成部と、表示制御部とを備える。階調情報生成部は、第１画像のＲ成分、Ｇ成分及びＢ成分の色成分毎の階調に関する第１階調情報と、第２画像のＲ成分、Ｇ成分及びＢ成分の色成分毎の階調に関する第２階調情報とを生成する。表示制御部は、階調情報生成部により生成された第１階調情報及び第２階調情報の少なくとも一方を表示部に表示するよう制御する。階調情報生成部は、第１階調情報を生成するときに、Ｇ成分に対応する２つの画素の一方のみの画素値を使用する、又は、２つの画素の画素値の平均値を使用することにより、Ｒ成分、Ｇ成分及びＢ成分の色成分間で画素数を一致させる。
【発明の効果】
【００１４】
本発明の撮像装置によれば、撮像部から画像処理装置へ入力される第１画像に関する第１階調情報と、第１画像の現像処理により得られる第２画像とを関連付けて画像ファイルを生成するので、現像処理後の第２画像の確認と合せて現像処理前の第１画像に係る階調情報の確認をユーザが容易に行うことができる。
【図面の簡単な説明】
【００１５】
【図１】第１実施形態の電子カメラの構成例を示すブロック図
【図２】第１実施形態の電子カメラの動作例を示す流れ図
【図３】第１実施形態でのヒストグラムの表示例を示す図
【図４】第１実施形態の電子カメラでのデータ記録例を示す図
【図５】第２実施形態の電子カメラでのデータ記録例を示す図
【発明を実施するための形態】
【００１６】
＜第１実施形態の説明＞
第１実施形態では、本発明に係る撮像装置を例示する。図１は、撮像装置としての電子カメラの構成例を示すブロック図である。第１実施形態の電子カメラは、撮像モードのサブモードとして、第１記録モードから第３記録モードの３つの記録モードを有している。
第１記録モードでの電子カメラは、ＲＡＷ形式のカラー画像（ＲＡＷ画像）のデータと、ＲＡＷ画像に電子的な現像処理（デジタル現像処理）を施した画像データ（現像画像のデータ）とを両方記録する。また、第２記録モードでの電子カメラは、第２記録モードでの電子カメラは、現像画像のデータを記録する。また、第３記録モードでの電子カメラは、ＲＡＷ画像のデータを記録する。
【００１７】
電子カメラは、撮像光学系１１と、撮像素子１２と、ＤＦＥ１３と、ＣＰＵ１４と、メディアＩ／Ｆ１５と、第１メモリ１６および第２メモリ１７と、操作部１８と、モニタ１９とを有している。ここで、ＤＦＥ１３、メディアＩ／Ｆ１５、第１メモリ１６および第２メモリ１７、操作部１８、モニタ１９は、それぞれＣＰＵ１４に接続されている。
【００１８】
撮像素子１２は、撮像光学系１１を通過した光束による被写体の結像を撮像するデバイスである。この撮像素子１２の出力はＤＦＥ１３に接続されている。なお、本実施形態の撮像素子１２は、順次走査方式の固体撮像素子（ＣＣＤなど）であってもよく、ＸＹアドレス方式の固体撮像素子（ＣＭＯＳなど）であってもよい。
【００１９】
撮像素子１２の受光面には、複数の受光素子がマトリックス状に配列されている。また、撮像素子１２の各受光素子には、赤色（Ｒ）、緑色（Ｇ）、青色（Ｂ）のカラーフィルタが公知のベイヤ配列にしたがって配置されている。そのため、撮像素子１２の各受光素子は、カラーフィルタでの色分解によってそれぞれの色に対応する画像信号を出力する。これにより、撮像素子１２は、撮像時にカラーの画像を取得できる。
【００２０】
ＤＦＥ１３は、撮像素子１２から入力される画像信号のＡ／Ｄ変換や、欠陥画素補正などの信号処理を行うデジタルフロントエンド回路である。このＤＦＥ１３は、本実施形態において撮像素子１２とともに撮像部を構成し、撮像素子１２より入力される画像信号をＲＡＷ画像のデータとしてＣＰＵ１４に出力する。ここで、ＲＡＷ画像は、入射光の光量に対する出力信号値の関係が線形性を有するデジタル画像データである。このＲＡＷ画像は、欠陥画素の補正処理が施されたものであってもよい。また、ＲＡＷ画像は、色補間前の状態であるベイヤ配列構造のモザイク状の画像であってもよく、あるいは色補間処理が施された後のカラー画像であってもよい。
【００２１】
ＣＰＵ１４は、電子カメラの各部を統括的に制御するプロセッサである。例えば、ＣＰＵ１４は、撮像素子１２の出力に基づいて、公知のコントラスト検出によるオートフォーカス（ＡＦ）制御や、公知の自動露出（ＡＥ）演算をそれぞれ実行する。また、ＣＰＵ１４は、プログラムの実行により、画像処理部２１、階調情報生成部２２、記録制御部２３、画像ファイル生成部２４として動作する。
【００２２】
画像処理部２１は、ＲＡＷ画像のデータにデジタル現像処理を施して現像画像のデータを生成する。ここで、デジタル現像処理は、ＲＡＷ画像を写真に相当する画像に変換するための画像処理である。一例として、デジタル現像処理には、階調変換処理、ノイズ除去処理、輪郭強調処理、色変換処理（色変換マトリクスでの演算など）が含まれる。
【００２３】
階調情報生成部２２は、ＲＡＷ画像および現像画像をそれぞれ解析し、各画像における輝度の度数分布の情報を階調情報としてそれぞれ生成する。
【００２４】
画像ファイル生成部２４は、上記した記録モードの設定に応じてＲＡＷ画像の画像ファイルや現像画像の画像ファイルを階調情報生成部２２の生成した情報と関連付けて生成する。また、記録制御部２３は、画像ファイル生成部２４により生成された画像ファイルを後述の記憶部に記録する。
【００２５】
本実施形態における電子カメラは、記憶部の一態様として、記憶媒体２５、第１メモリ１６及び第２メモリ１７を備える。
【００２６】
メディアＩ／Ｆ１５には、不揮発性の記憶媒体２５を着脱可能に接続できる。そして、メディアＩ／Ｆ１５は、記憶媒体２５に対してデータの書き込み／読み込みを実行する。上記の記憶媒体２５は、ハードディスクや、半導体メモリを内蔵したメモリカードなどで構成される。なお、図１では記憶媒体２５の一例としてメモリカードを図示する。
【００２７】
第１メモリ１６は、画像処理の前後で画像のデータを一時的に記憶する揮発性のバッファメモリである。また、第２メモリ１７は、ＣＰＵ１４によって実行される各種のプログラムなどを記憶する不揮発性のフラッシュメモリである。なお、第２メモリ１７は画像ファイル等を記憶する記憶領域を有していてもよい。
【００２８】
操作部１８は、例えば、記録モードの切換入力や、記憶媒体２５への記録を伴う静止画像（本画像）の撮像指示などをユーザから受け付ける。なお、ＣＰＵ１４は、操作部１８の入力に基づいて、上記の３つの記録モードの切り替え制御を行う。
【００２９】
モニタ１９は、ＣＰＵ１４の制御によって各種画像を表示する。例えば、本画像の撮像後において、ＣＰＵ１４は撮像された画像をモニタ１９に再生表示できる。また、ＣＰＵ１４は、演算部２２の生成した情報等をモニタ１９に表示することもできる。
【００３０】
次に、図２の流れ図を参照しつつ、第１実施形態での電子カメラの動作例を説明する。図２の動作例では、電子カメラが上記の第１記録モードに設定された状態であることを前提とする。また、図２の流れ図の処理は、本画像の撮像指示（例えば操作部１８に含まれるレリーズ釦の全押し操作など）をＣＰＵ１４がユーザから受け付けたときに開始される。
【００３１】
ステップＳ１０１：ＣＰＵ１４は、ユーザの撮像指示に応じて、撮像素子１２を駆動させて本画像の撮像を行う。撮像素子１２から出力される画像信号はＤＦＥ１３をパイプライン式に通過してＣＰＵ１４に入力される。そして、ＣＰＵ１４の制御によりＲＡＷ画像のデータが第１メモリ１６にバッファリングされることとなる。第１実施形態でのＣＰＵ１４は、ホワイトバランス調整や色補間処理を施す前のＲＡＷ画像を、記憶媒体２５に記録する第１画像として第１メモリ１６に保持する。
【００３２】
ステップＳ１０２：階調情報生成部２２は、第１画像（Ｓ１０１）における階調値の度数分布を第１画像に関する階調情報として求める。一例として、階調情報生成部２２は、第１画像のＲＧＢのチャネル別にそれぞれ階調値の度数分布を求める。
【００３３】
なお、第１実施形態での第１画像は色補間前の画像であるので、Ｇチャネルの画素はＲ，Ｂチャネルと比べて２倍の画素数となる。そこで、Ｓ１０２での階調情報生成部２２は、上記の度数分布を求めるときにはチャネル間で画素数を正規化する。例えば、Ｇチャネルの度数分布を求めるときに、演算部２２はＧｒ画素またはＧｂ画素の一方のみをサンプリングしてもよく、あるいは、演算部２２はＧｒ画素およびＧｂ画素の平均値をとってもよい。
【００３４】
ここで、第１画像で階調値が階調範囲の上限値を示す画素は、光量過剰による白トビで階調が失われている画素であると推定できる。よって、Ｓ１０２の度数分布で階調範囲の上限値に対応する画素の数（度数）は、第１画像において白トビで階調の失われた画素の数を示す情報となる。例えば、画像の階調範囲が８ビット（０−２５５）で表現される場合、階調値２５５の画素が白トビの画素に対応する。
【００３５】
一方、第１画像で階調値が階調範囲の下限値を示す画素は、光量不足による黒潰れで階調が失われている画素であると推定できる。よって、Ｓ１０２の度数分布で階調範囲の下限値に対応する画素の数（度数）は、第１画像において黒潰れで階調の失われた画素の数を示す情報となる。例えば、画像の階調範囲が８ビットで表現される場合、階調値０の画素が黒潰れの画素に対応する。
【００３６】
ステップＳ１０３：画像ファイル生成部２４は、画像の撮影条件（露光時間、絞り値など）や、画像のファイル名等の種々の情報を含むヘッダデータと、第１画像のデータとを対応付けてＲＡＷ画像の画像ファイルを生成する。そして、記録制御部２３は、メディアＩ／Ｆ１５を介して記憶媒体２５にＲＡＷ画像の画像ファイルを記録する（図４参照）。
【００３７】
ステップＳ１０４：画像処理部２１は、第１画像にデジタル現像処理を施して、ＲＧＢの現像画像（第２画像）を生成する。この第２画像のデータは、ＣＰＵ１４の制御により、第１メモリ１６に一時的に記憶される。
【００３８】
ステップＳ１０５：階調情報生成部２２は、第２画像（Ｓ１０４）における階調値の度数分布を第２画像に関する階調情報として求める。一例として、階調情報生成部２２は、第２画像のＲＧＢのチャネル別にそれぞれ階調値の度数分布を求める。
【００３９】
なお、階調情報生成部２２は、第２画像の度数分布を生成するときに、第１画像の度数分布（Ｓ１０２）と画素数が同じ条件になるように各チャネルで画素数の正規化を行う。例えば、階調情報生成部２２は、各チャネルで画素数が１／４になるように、画素の間引きまたは画素値の平均化を行えばよい。これにより、Ｓ１０２の階調値の度数分布と、Ｓ１０５の階調値の度数分布とを対比することが可能となる。
【００４０】
ここで、第２画像で階調値が階調範囲の上限値を示す画素は、現像処理の前後に白トビで階調が失われている画素であると推定できる。よって、Ｓ１０５の度数分布で階調範囲の上限値に対応する画素の数（度数）は、第２画像において白トビで階調の失われた画素の数を示す情報となる。
【００４１】
一方、第２画像で階調値が階調範囲の下限値を示す画素は、現像処理の前後に黒潰れで階調が失われている画素であると推定できる。よって、Ｓ１０５の度数分布で階調範囲の下限値に対応する画素の数（度数）は、第２画像において黒潰れで階調の失われた画素の数を示す情報となる。
【００４２】
ステップＳ１０６：画像処理部２１は、ＲＧＢの現像画像のデータをＹＣｂＣｒ形式に変換する。また、第１実施形態での画像処理部２１は、現像画像のデータをＪＰＥＧ形式で圧縮するものとする。
【００４３】
ステップＳ１０７：ＣＰＵ１４は、現像画像の画像ファイルの記録が完了するまで、モニタ１９に今回撮影した現像画像を再生表示する。これにより、撮影した画像のフォーカスや構図の確認がユーザにとって容易となる。
【００４４】
このとき、第１実施形態でのＣＰＵ１４は、ユーザの設定に応じて、第１画像の階調値の度数分布（Ｓ１０２）の情報および第２画像の階調値の度数分布（Ｓ１０５）の情報をモニタ１９に表示する。
【００４５】
一例として、Ｓ１０７でのＣＰＵ１４は、第１画像および第２画像の同じチャネルのヒストグラムをモニタ１９に重畳表示する（図３参照）。また、ＣＰＵ１４は、ユーザの操作に応じて、モニタ１９に表示するヒストグラムのチャネルを切り替える。
【００４６】
図３の縦軸は度数を示し、図３の横軸は階調値を示している。また、図３では、第１画像のヒストグラムは折れ線グラフ（破線）で示し、第２画像のヒストグラムは棒グラフ（実線およびハッチング）で示す。ユーザは、モニタ１９に表示された２つのヒストグラムを参照することで、現像画像での白トビおよび黒潰れの有無と、ＲＡＷ画像での白トビおよび黒潰れの有無とをそれぞれ容易に判断できる。一例として、図３では、現像画像では白トビが生じているが、ＲＡＷ画像では白トビや黒潰れがない場合を示している。
【００４７】
なお、Ｓ１０７においてＣＰＵ１４は、図３に示す第１画像および第２画像のヒストグラムの重畳表示のほかに、モニタ１９の画面内にヒストグラムを並べて表示してもよく、また第１画像および第２画像のヒストグラムをモニタ１９の画面に交互に表示してもよい（これらの表示形態の図示は省略する）。
【００４８】
ステップＳ１０８：画像ファイル生成部２４は、画像の撮影条件（露光時間、絞り値など）や、画像のファイル名等の種々の情報を含むヘッダデータと、第２画像のデータとを対応付けて現像画像の画像ファイルを生成する。そして、記録制御部２３は、メディアＩ／Ｆ１５を介して記憶媒体２５に現像画像の画像ファイルを記録する。現像画像の画像ファイルは、例えばＥｘｉｆ(Exchangeable image file format for digital still cameras)規格やＴＩＦＦ／ＥＰ規格などに準拠した形式で生成される。
【００４９】
図４は、第１実施形態の電子カメラでのデータ記録例を示す図である。第１実施形態での現像画像の画像ファイルは、ヘッダデータと、ＹＣｂＣｒ形式の現像画像のデータ（Ｓ１０６の処理後のＪＰＥＧ画像データ）とが含まれる。
【００５０】
また、現像画像の画像ファイルのヘッダデータには、例えば、画像の撮影条件（露光時間、絞り値など）等の種々の情報、第１画像の階調に関する度数分布の情報、第２画像の階調に関する度数分布の情報、対応するＲＡＷ画像の画像ファイル名を示すファイル名情報が含まれる。
【００５１】
これにより、撮影後の後処理工程（アプリケーションソフトによる画像処理）にて上記の現像画像の画像ファイルをコンピュータで読み込んだ場合、ユーザは第２画像の階調に関する度数分布の情報を参照することで、現像画像での白トビおよび黒潰れの有無を容易に判断できる。同様に、ユーザは第２画像に関連付けられた第１画像の階調に関する度数分布の情報を参照することで、ＲＡＷ画像での白トビおよび黒潰れの有無を容易に判断できる。
【００５２】
また、ヘッダデータに含まれるＲＡＷ画像のファイル名情報を参照することで、ユーザは、上記の現像画像に対応するＲＡＷ画像の画像ファイルを特定することも可能となる。
【００５３】
上述した図２の説明では、データの記録制御に関して、画像データの第１メモリ１６へのバッファリングはＣＰＵ１４の制御により実行されることとしたが、この構成に限定されるものではなく、記憶制御部２３が、画像データ等の第１メモリ１６へのバッファリングと、画像ファイルの記憶媒体２５への記録とを実行するようにしてもよい。以上で、図２の流れ図の説明を終了する。
【００５４】
なお、本実施形態において、第２記録モードが選択された場合、ＣＰＵ１４は、撮影時に現像画像の画像ファイルの記録が完了するまで、モニタ１９に今回撮影した現像画像を再生表示する。この場合に、ＣＰＵ１４は、ユーザの設定に応じて、現像画像の階調値の度数分布をモニタ１９に表示する制御を行う。
【００５５】
第１実施形態の電子カメラは、ＲＡＷ画像および現像画像を記録するモードにおいて、ＲＡＷ画像の階調情報と現像画像の階調情報とを生成する（Ｓ１０２、Ｓ１０５）。そして、電子カメラは、ＲＡＷ画像の階調情報と現像画像の階調情報とを現像画像の画像ファイルに記録する（Ｓ１０８）。したがって、第１実施形態では、現像画像の画像ファイルのメタデータとしてＲＡＷ画像の階調情報が付与されているので、撮影後の後処理工程でユーザが有用な情報を得ることができる。
【００５６】
白トビや黒潰れで階調が失われた画像は、上記の後処理工程でも失われた階調を回復することができないので、撮像した画像の白トビや黒潰れの有無は非常に重要な情報となる。ＲＡＷ画像と現像画像を両方記録した場合は、現像画像の階調が失われていたとしても、ＲＡＷ画像の階調が失われていなければ、後処理工程でＲＡＷ画像から高品位な画像を得ることができる。一方、ＲＡＷ画像および現像画像でいずれも階調が失われている場合には、露出を変えて撮影した他の画像を画像調整することが好ましくなる。第１実施形態の例では、現像画像の画像ファイルを閲覧するだけで同時に取得したオリジナルのＲＡＷ画像の階調が失われているかを判断でき、画像調整の対象を選別するユーザの利便性が大きく向上する。
【００５７】
また、第１実施形態の電子カメラは、ＲＡＷ画像の階調情報と現像画像の階調情報とを撮影後にモニタ１９に表示する（Ｓ１０７）。したがって、ユーザはＲＡＷ画像のヒストグラムから、ＲＡＷ画像の白トビおよび黒潰れの有無を判断することができ、ユーザが再撮影の要否を容易に判断できるようになる。
【００５８】
上記実施形態では、現像画像のファイルのヘッダデータとして、ＲＡＷ画像の階調情報および現像画像の階調情報の両方を付与するようにしたが、これに限定されるものではない。例えば、現像画像に階調が失われている画素があるかどうかを、現像画像の階調情報を見ることなく、モニタに表示された現像画像により判断できるときもあるため、必ずしも現像画像の階調情報が必要とされないケースがあり得る。そのため、現像画像のファイルのヘッダデータとして、ＲＡＷ画像の階調情報のみを付与するようにしてもよい。この場合であっても、上述した実施形態と同様に、現像画像のヘッダデータに含まれるＲＡＷ画像の階調情報を参照できるので、ＲＡＷ画像での白トビおよび黒潰れの有無を容易に確認できる。さらに、画像ファイルの容量をＲＡＷ画像の階調情報及び現像画像の階調情報の両方を含むものよりも小さくすることができる。なお、現像画像の階調情報の確認が必要とされるときは、画像ファイル内の現像画像のデータに基づいて、その都度、現像画像の階調情報を階調情報生成部にて生成してモニタに表示すればよい。
【００５９】
＜第２実施形態の説明＞
図５は、第２実施形態の電子カメラでのデータ記録例を示す図である。第２実施形態の電子カメラの構成は図１と同じであるので、共通する構成要素には同一符号を付して重複説明を省略する。
【００６０】
第２実施形態は第１実施形態の変形例であって、ＲＡＷ画像および現像画像の両方が記録される第１記録モードにおいて、画像ファイル生成部２４は、本画像の撮影が行われるごとに、ＲＡＷ画像（第１画像）の画像ファイルと、現像画像（第２画像）の画像ファイルと、検索用データとを生成し、記録制御部２３はこれらを関連付けて記憶媒体２５に記録する。
【００６１】
上記の検索用データは、画像ファイルとは別個のデータであって、１回の撮影につき１つ生成される。また、検索用データは、第１画像の階調情報と、第２画像の階調情報と、第１画像識別情報としての第１画像の画像ファイル名の情報と、第２画像識別情報としての第２画像の画像ファイル名の情報とを有し、これらの情報は対応付けされて記録される。なお、第１記録モードで複数回の撮影を行ったとき、画像ファイル生成部２４は、複数生成される検索用データを１ファイルにまとめて生成し、記録制御部２３は当該１ファイルを記録してもよい。また、検索用データは、少なくとも第１画像の階調情報、第１画像の画像ファイル名の情報および第２画像の画像ファイル名の情報を有していればよく、第２画像の階調情報は必ず有する必要はない。
【００６２】
第２実施形態の例では、検索用データを閲覧することでＲＡＷ画像の階調が失われているかを判断でき、画像調整の対象を選別するユーザの利便性が大きく向上する。
【００６３】
＜実施形態の補足事項＞
（１）上記の各実施形態において、ＣＰＵ１４は、ＲＡＷ画像にホワイトバランス調整処理または色補間処理の少なくとも一方を施して得た画像を第１画像としてもよい。
【００６４】
（２）上記の各実施形態において、画像ファイル生成部２４は、第１画像および第２画像の階調に係る各度数分布のうち、白トビの度数および黒つぶれの度数のみを第２画像と関連付けて画像ファイルを生成してもよい。同様に、図２のＳ１０７の処理において、ＣＰＵ１４は、第１画像の白トビの度数および黒つぶれの度数と、第２画像の白トビの度数および黒つぶれの度数とをモニタ１９に表示し、ヒストグラムの表示は省略してもよい。
【００６５】
さらに、第１画像および第２画像の階調に係る各度数分布の情報を用いて、ＲＡＷ画像での白トビまたは黒つぶれの有無と、現像画像での白トビまたは黒つぶれの有無を表示（または記録）する電子カメラの構成も本発明の技術的範囲に含まれうる。
【００６６】
（３）上記の実施形態では、ＲＡＷ画像および現像画像を両方記録する第１記録モードでの動作例を説明したが、本発明はこれに限定されるものではない。例えば、上記の第３記録モードで構図確認用の現像画像をモニタ１９に表示するときに、ＲＡＷ画像および現像画像のヒストグラムをそれぞれ表示する電子カメラの構成も本発明の技術的範囲に含まれうる。
【００６７】
（４）図２のＳ１０７の処理において、ＣＰＵ１４は、第１画像で白トビまたは黒潰れとなる画素の位置と、第２画像で白トビまたは黒潰れとなる画素の位置とをそれぞれモニタ１９に表示してもよい。例えば、ＣＰＵ１４は、モニタ１９に表示される現像画像を用いて、上記の画素の位置を反転表示などで強調すればよい。
【００６８】
（５）上記の各実施形態では、画像処理部２１、階調情報生成部２２、記録制御部２３、画像ファイル生成部２４の各機能をＣＰＵ１４がプログラムによってソフトウエア的に実現する例を説明したが、これらの一部または全部の構成をハードウエアで実現してもよい。
【００６９】
（６）上記の実施形態では、撮像装置の一例として電子カメラについて説明したが、本発明はこれに限定されるものではない。例えば、そのほかの撮像装置の例として、デジタルビデオカメラや、カメラ付き携帯電話等の被写体の像を撮像可能な装置が挙げられる。
【００７０】
（７）また、本発明は、撮像装置と接続されて、画像信号を当該撮像装置から入力し、入力した画像信号に対して現像処理等の画像処理を行う画像処理装置に適用することが可能である。この場合、撮像装置から入力した原画像（例えば、ＲＡＷ画像）に基づいて、上述したように、原画像の階調情報を生成し、次いで、画像処理が施された処理画像（例えば、現像画像）及び当該画像に係る階調情報を生成する。そして、これらの情報と画像とを関連付けて画像ファイルを作成して記録部に記録すればよい。あるいは、画像処理装置は、原画像の階調情報および処理画像の階調情報の少なくとも一方を表示部に表示させてもよい。
【００７１】
なお、本発明は、その精神またはその主要な特徴から逸脱することなく他の様々な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００７２】
１１…撮像光学系、１２…撮像素子、１３…ＤＦＥ、１４…ＣＰＵ、１５…メディアＩ／Ｆ、１６…第１メモリ、１７…第２メモリ、１８…操作部、１９…モニタ、２１…画像処理部、２２…階調情報生成部、２３…記録制御部、２４…画像ファイル生成部、２５…記憶媒体
【図１】
0005515653.tif 000002
【図２】
0005515653.tif 000003
【図３】
0005515653.tif 000004
【図４】
0005515653.tif 000005
【図５】
0005515653.tif 000006